(57)【要約】【課題】遊技場側の要望に応えつつ通達にも違反しない運用を取ることが可能な遊技場用景品管理装置を提供すること。【解決手段】遊技場用景品管理装置１は、遊技者が遊技によって獲得した遊技価値数の一部又は全部を当日貯玉数として記憶する当日分記憶手段１０１と、前日以前の貯玉を前日貯玉数として記憶する前日分記憶手段１０２と、当日貯玉数及び前日貯玉数に基づいて、所定の特殊景品及び／又は一般景品との交換処理が行われる場合に、前日貯玉数を優先的に引き落とす引き落とし手段１０３と、前日貯玉数に基づいて特殊景品に交換する処理を禁止することが可能な禁止手段１０４と、を備えている。【選択図】図２
2014188089.tif 000002
【特許請求の範囲】
【請求項１】
遊技者が遊技によって獲得した遊技価値数の一部又は全部を当日貯蓄遊技価値数として該遊技者を特定可能な遊技者特定情報と対応付けて記憶する当日分記憶手段と、
所定の日付変更条件が満たされた場合に前記当日分記憶手段が記憶する当日貯蓄遊技価値数を当該遊技者特定情報と対応付けて前日貯蓄遊技価値数として記憶する前日分記憶手段と、
前記当日分記憶手段に記憶された当日貯蓄遊技価値数及び前記前日分記憶手段に記憶された前記前日貯蓄遊技価値数に基づいて、所定の特殊景品及び／又は該特殊景品以外の景品である一般景品との交換処理が行われる場合に、前記前日貯蓄遊技価値数を優先的に引き落とす引き落とし手段と、
前記前日分記憶手段が記憶した前記前日貯蓄遊技価値数に基づいて、前記特殊景品を交換する処理を禁止することが可能な禁止手段と、を備えたことを特徴とする遊技場用景品管理装置。
【発明の詳細な説明】
【技術分野】
【０００１】
本発明は、パチンコ遊技機やスロットマシン等が設置された遊技場における景品交換を管理する遊技場用景品管理装置に関する。
【背景技術】
【０００２】
従来より、多くの遊技場では、遊技者が遊技によって獲得した遊技価値を会員カードと対応付けて記録（貯玉）し、記録された遊技価値に基づいて当日又は翌日以降に再プレイや景品交換を可能としている。また、当日中の再プレイは手数料を取らないが、翌日以降の再プレイでは手数料を取りたいという遊技場側の要望に応えるため、一般的には、当日分の貯玉（当日貯玉）と、前日以前分の貯玉（前日貯玉）と、が区分けして管理されている。
【０００３】
ところで、このような運用が取られた場合、遊技者が遊技の途中で景品交換するときに当日貯玉から優先的に引き落とすと遊技場側にとって有利となる一方、前日貯玉から優先的に引き落とせば遊技者側にとって有利となる。そこで、どちらの貯玉を優先的に引き落とすかを遊技場側の要望に応じて選択できるようにした技術が提案されている（例えば、特許文献１参照。）。実際の運用では、遊技者に不利となる運用が取られることはほとんどなく、前日貯玉から優先的に引き落とす運用が広く利用されているという実情がある。
【先行技術文献】
【特許文献】
【０００４】
【特許文献１】特開２００８−２７２３８４号公報
【発明の概要】
【発明が解決しようとする課題】
【０００５】
しかしながら、上記のように前日貯玉から優先的に引き落とす運用では、特定の地域において問題が発生する。すなわち、特定の地域では警察の通達により前日貯玉を特殊景品と交換することが禁止されているため、前日貯玉から優先的に引き落とす仕様を設定すると自動的にその通達に違反してしまうという問題がある。
【０００６】
本発明は、前記従来の問題点に鑑みてなされたものであり、遊技場側の要望に応えつつ通達にも違反しない運用を取ることが可能な遊技場用景品管理装置を提供することを目的とする。
【課題を解決するための手段】
【０００７】
本発明は、遊技者が遊技によって獲得した遊技価値数の一部又は全部を当日貯蓄遊技価値数として該遊技者を特定可能な遊技者特定情報と対応付けて記憶する当日分記憶手段と、
所定の日付変更条件が満たされた場合に前記当日分記憶手段が記憶する当日貯蓄遊技価値数を当該遊技者特定情報と対応付けて前日貯蓄遊技価値数として記憶する前日分記憶手段と、
前記当日分記憶手段に記憶された当日貯蓄遊技価値数及び前記前日分記憶手段に記憶された前記前日貯蓄遊技価値数に基づいて、所定の特殊景品及び／又は該特殊景品以外の景品である一般景品との交換処理が行われる場合に、前記前日貯蓄遊技価値数を優先的に引き落とす引き落とし手段と、
前記前日分記憶手段が記憶した前記前日貯蓄遊技価値数に基づいて、前記特殊景品を交換する処理を禁止することが可能な禁止手段と、を備えたことを特徴とする遊技場用景品管理装置にある（請求項１）。
【０００８】
本発明の遊技場用景品管理装置では、前日貯蓄遊技価値数を優先的に引き落とす一方で、前日貯蓄遊技価値数に基づいて特殊景品を交換する処理を禁止することが可能である。この処理を禁止しない場合であれば、従来通り、特殊景品も一般景品も前日貯蓄遊技価値数から優先的に引き落とすことができる。一方、前日貯蓄遊技価値数に基づいて特殊景品を交換する処理を禁止する場合には、一般景品との交換では前日貯蓄遊技価値数から優先的に引き落として遊技者の利益を確保しつつ、特殊景品との交換では当日貯蓄遊技価値数のみから引き落として通達違反等を未然に回避できる。
【０００９】
以上のように、本発明の遊技場用景品管理装置は、遊技場側の要望に応えつつ通達にも違反しない運用を取ることが可能な高い汎用性を備えた遊技場用景品管理装置となっている。
【００１０】
本発明の遊技機としては、遊技媒体として玉を使用して遊技されるパチンコ遊技機や、所定の入賞図柄が停止表示されたときに入賞を発生させるスロットマシン等がある。パチンコ遊技機としては、入賞に応じて玉を払い出すタイプであっても良く、ポイントを使用して玉を発射し入賞に応じてポイントが付与される、いわゆる封入式のパチンコ遊技機であっても良い。スロットマシンとしては、メダルやコイン等の遊技媒体を使用して遊技されるタイプであっても良いが、遊技媒体を使用せずポイントを賭けて遊技でき入賞したときにポイントが付与される、いわゆる完全クレジット式のスロットマシンであっても良い。さらに、パチンコ玉を遊技媒体として使用するパロット（Ｒ）であっても良い。
【００１１】
本発明においては、遊技媒体である玉の払出を伴うパチンコ遊技機の場合であれば、遊技媒体である玉が前記遊技価値となる。メダル等を賭けてゲームを実行でき、入賞に応じてメダルの払出を受けられるスロットマシンであれば、遊技媒体であるメダルが前記遊技価値となる。一方、上記の封入式のパチンコ遊技機や、完全クレジット式のスロットマシンの場合であれば、遊技に使用されるポイントが遊技価値となる。
【図面の簡単な説明】
【００１２】
【図１】実施例１における、貯玉情報記憶装置を含む遊技場管理システムのシステム図。
【図２】実施例１における、貯玉情報記憶装置（遊技場用景品管理装置）の電気的な構成を示すブロック図。
【図３】実施例１における、会員Ａの貯玉口座毎の貯玉数を例示する説明図。
【図４】実施例１における、４円パチンコの貯玉の全部を景品交換対象に選択したときのＰＯＳ画面を例示する説明図。
【図５】実施例１における、４円パチンコの貯玉の全部を景品交換対象に選択し、さらに一般景品の選択を追加したときのＰＯＳ画面を例示する説明図。
【図６】実施例１における、非禁止状態下での景品交換処理後の会員Ａの貯玉口座毎の貯玉数を例示する説明図。
【図７】実施例１における、禁止状態下での景品交換処理後の会員Ａの貯玉口座毎の貯玉数を例示する説明図。
【図８】実施例１における、４円パチンコの貯玉の一部を景品交換対象に選択したときのＰＯＳ画面を例示する説明図。
【図９】実施例１における、４円パチンコの貯玉の一部を景品交換対象に選択し、さらに一般景品の選択を追加したときのＰＯＳ画面を例示する説明図。
【図１０】実施例１における、非禁止状態下での景品交換処理後の会員Ａの貯玉口座毎の貯玉数を例示する説明図。
【図１１】実施例１における、禁止状態下での景品交換処理後の会員Ａの貯玉口座毎の貯玉数を例示する説明図。
【発明を実施するための形態】
【００１３】
本発明の実施の形態につき、以下の実施例を用いて具体的に説明する。
（実施例１）
本例は、パチンコ遊技機やスロットマシンなどの遊技機２の遊技を通じて遊技者が獲得した玉やメダル等の遊技価値を景品に交換するための貯玉情報記憶装置（遊技場用景品管理装置）１に関する例である。この内容について、図１〜図１１を参照して説明する。
【００１４】
遊技場では、通路に面して遊技機２が配列され、これにより複数の遊技機島１００が形成されている。遊技機島１００としては、パチンコ玉を１個４円で貸し出す遊技機島や、パチンコ玉を１個１円で貸し出す遊技機島、メダルを１枚２０円で貸し出す遊技機島、メダルを１枚５円で貸し出す遊技機島等がある。なお、図１では、パチンコ遊技機の遊技機島１００のみを図示し、スロットマシンの遊技機島の図示を省略している。
各遊技機島１００の島端には、島内の遊技により獲得した遊技媒体（遊技価値）を計数する計数装置３が設置されている。
【００１５】
遊技場内には、遊技者が遊技により獲得した遊技媒体を景品に交換するための景品カウンタが設けられ、その遊技媒体数（遊技価値数）に応じて好みの景品に交換するためのＰＯＳ装置（景品交換端末）５が設置されている。
遊技場の管理者が詰める管理スペースには、遊技者が獲得した遊技媒体のうち計数済みの遊技媒体数（貯玉数）を記憶して管理する貯玉情報記憶装置１のほか、遊技場に設置された各種機器の稼動状況を管理する管理装置（図示略）等が設置されている。
【００１６】
この遊技場では、図１に示すごとく、貯玉情報記憶装置１、計数装置３、ＰＯＳ装置５、管理装置、遊技機２等が、イントラネット回線１５を介して通信可能な状態で接続されて遊技場管理システム１Ｓが構成されている。遊技機２は、遊技情報を表示する台ランプ２３や図示しない貸出装置と共に中継器２２を介してイントラネット回線１５に接続されている。
【００１７】
遊技場では、遊技機２の遊技により遊技者が獲得した玉やメダルを収納するための専用箱が準備されている。この専用箱は、遊技機島１００の各所に積み上げられており自由に持ち出しできるほか、大当たりの発生に応じて従業員から手渡される。遊技者は、玉を収納した専用箱を遊技機２の下側の棚に置いたり、背後の床に積み上げて遊技を行う。遊技を終了する際には、玉あるいはメダルを収納した専用箱を計数装置３に運んで従業員に計数してもらい、獲得した遊技媒体数を計数媒体数として確定させる必要がある。
【００１８】
計数装置３は、図１に示すごとく、遊技媒体である玉を投入する媒体受入口３５０、遊技媒体の投入数等を表示する表示ディスプレイ３５３、遊技媒体の投入数等を記録したバーコードを印字したレシートを発券するレシート発券部３５４、レシートの発券処理を実行させるための発券釦３５６、会員カード４１０等の遊技カードを挿入するカード挿入口３５８等を備える装置である。
【００１９】
計数装置３が発券するレシート（図示略）には、計数媒体数を表すアラビア数字のほか、計数媒体数及びレシートＩＤが記録されたバーコードが印刷されている。計数装置３は、レシートを発券する際、レシートに印字した計数媒体数と共にレシートを特定するレシートＩＤを管理装置に向けて送信する。レシートＩＤと計数媒体数とを管理装置に送信しておけば、ＰＯＳ装置５での景品交換の際、レシートが有効か無効か管理装置に問い合わせできる。
【００２０】
会員カード４１０が挿入された場合であれば、計数装置３は、計数媒体数と共に会員カード４１０から読み取ったカードＩＤ（遊技者特定情報）を貯玉情報記憶装置１等に向けて送信する。貯玉情報記憶装置１側では、後述する通り、その計数媒体数の一部又は全部が当日貯玉数（当日貯蓄遊技価値数）としてカードＩＤと対応付けて記憶される。
【００２１】
ＰＯＳ装置５は、図１に示すごとく、計数装置３が発券したレシートを受け付けて景品交換を実施するための装置である。ＰＯＳ装置５は、液晶ディスプレイ５１や、景品交換処理を実行させるための「終了」ボタン等を備えているほか、接続コードを介してバーコードリーダ５２が外付けされている。さらに、ＰＯＳ装置５には、会員カード４１０を挿入可能なカードリーダ４が専用の通信線を介して接続されている。
【００２２】
液晶ディスプレイ５１には、貯玉数の表示を含むＰＯＳ画面（図４など）等が表示される。バーコードリーダ５２を利用すれば、遊技者が持参したレシートに印刷されたバーコードからレシートＩＤを読み取り可能である。
【００２３】
ＰＯＳ装置５は、レシートからレシートＩＤ及び計数媒体数を読み取ったとき、同じレシートＩＤを含む計数情報を送信するように管理装置に要求する。要求を受けた管理装置は、管理している計数情報のうち、ＰＯＳ装置５が指定したレシートＩＤを含む計数情報を抽出して返信する。
【００２４】
ＰＯＳ装置５は、このように管理装置から受信した計数情報の計数媒体数と、レシートＩＤから読み取った計数媒体数と、を比較し、一致に応じて受け付けたレシートを有効と判断する。レシートが有効であったとき、ＰＯＳ装置５は、特定された計数媒体数に応じて特殊景品のほかタバコや菓子等の一般景品への交換処理を実行する。
【００２５】
カードリーダ４は、会員カード４１０に記録されたカードＩＤ等のカード情報を読み取る装置である。カードリーダ４には、会員カード４１０を挿入するカードスロット４０のほか、貯玉数等を表示する表示部４１や、暗証番号の入力部４２等が設けられている。
【００２６】
図２の貯玉情報記憶装置１は、キーボードやマウス等の入力手段や、液晶モニター等の表示装置を持たないコンピュータ装置であり、大型のビデオデッキのような外形状を呈している。貯玉情報記憶装置１は、ＣＰＵ１１１、ＲＯＭ１１２、ＲＡＭ１１３、Ｉ／Ｏ（Input/Output）１１４を含む制御部１１を中心として電気的に構成されている。制御部１１には、ハードディスクドライブ１３が接続されている。
【００２７】
貯玉情報記憶装置１では、ＲＯＭ１１２に格納された動作プログラムをＣＰＵ１１１が実行することにより、以下の各手段としての機能が実現される。
（１）当日分記憶手段１０１：遊技者が遊技によって獲得した計数媒体数の一部又は全部を当日貯玉数（当日貯蓄遊技価値数）としてカードＩＤ（遊技者特定情報）と対応付けて記憶する手段。
（２）前日分記憶手段１０２：所定の日付変更条件が満たされたとき、当日分記憶手段１０１が記憶する当日貯玉数をカードＩＤと対応付けて前日貯玉数（前日貯蓄遊技価値数）として記憶する手段。
（３）引き落とし手段１０３：当日分記憶手段１０１に記憶された当日貯玉数及び前日分記憶手段１０２に記憶された前日貯玉数に基づいて特殊景品及び／又は一般景品との交換処理が行われる場合に、前日貯玉数を優先的に引き落とす手段。
（４）禁止手段１０４：前日分記憶手段１０２が記憶した前日貯玉数に基づく特殊景品への交換処理を禁止する手段。
【００２８】
次に、貯玉情報記憶装置１を含む遊技場管理システム１Ｓにおける景品交換の流れについて説明する。
以下の説明では、１円パチンコ、４円パチンコ、５円スロット、２０円スロットの各貯玉口座に、図３の貯玉を有する会員Ａを例示して説明する。例えば、４円パチンコの貯玉口座では、当日貯玉数が５０００個、前日貯玉数が１１０００個、合計貯玉数が１６０００個となっている。
【００２９】
カードリーダ４は、会員Ａの会員カード４１０を受け付けたとき、会員カード４１０のカードＩＤ（遊技者特定情報）や入力された暗証番号等を貯玉情報記憶装置１に送信する。貯玉情報記憶装置１側でカードＩＤ及び暗証番号の照合ができると、景品交換対象の貯玉口座を遊技者に選択させるための貯玉口座選択画面（図示略）がカードリーダ４の表示部４１に表示される。一方、カードＩＤ等の照合ができなかった場合には、会員カード４１０が排出される。
【００３０】
貯玉口座選択画面では、貯玉口座の選択に加えて、貯玉数の全部か一部かの選択、一部であれば交換対象とする貯玉数の指定等が可能である。図４は、景品交換対象として４円パチンコの貯玉口座の貯玉数の全部が選択されたとき、ＰＯＳ装置５に表示されるＰＯＳ画面の例示である。選択された貯玉口座の貯玉全てが貯玉情報記憶装置１から読み出され、ＰＯＳ装置５とカードリーダ４に貯玉数が表示される。
【００３１】
図４左側のＰＯＳ画面は、前日貯玉での特殊景品交換が禁止されていない場合（非禁止状態）の画面である。このＰＯＳ画面では、読み出した貯玉数の範囲内で交換可能な特殊景品の数として、全ての貯玉数（当日貯玉数、前日貯玉数）で交換可能な特殊景品の数が表示される。このＰＯＳ画面における特殊景品の内訳は、以下の通りである。
【００３２】
・大景品  1500×10＝15000
・中景品  300×3＝900
・小景品  60×1＝60
計    15960
・残り    16000−15960＝40
【００３３】
同図右側のＰＯＳ画面は、前日貯玉での特殊景品交換が禁止されている場合（禁止状態）の画面である。このＰＯＳ画面では、読み出した当日貯玉数の範囲内で交換可能な特殊景品の数が表示される。なお、禁止状態は、貯玉情報記憶装置１による図示しない設定画面上で設定可能である。このＰＯＳ画面における特殊景品の内訳は、以下の通りである。
【００３４】
・大景品  1500×3＝4500
・中景品  300×1＝300
・小景品  60×3＝180
計    4980
・残り    11000（前日貯玉数）+5000（当日貯玉数）−4980＝11020
【００３５】
ＰＯＳ装置５では、遊技者の要望に応じて一般景品を選択でき、その個数を入力可能である。対価１１０個の一般景品（タバコＡ）が２点選択された場合には、図４のＰＯＳ画面が図５のＰＯＳ画面の表示に切り換わる。同図左側は、非禁止状態下のＰＯＳ画面であり、同図右側は、禁止状態下のＰＯＳ画面である。
【００３６】
一般景品の交換時には前日貯玉から引き落とされるので、図４左側の非禁止状態下のＰＯＳ画面は、中景品、小景品の個数が変動して図５の左側のようになる。このＰＯＳ画面における特殊景品の内訳は、以下の通りである。
【００３７】
・大景品  1500×10＝15000
・中景品  300×2＝600
・小景品  60×3＝180
計    15780
・残り    16000−15780−220（一般景品分）＝0
【００３８】
一方、当日貯玉から交換可能な特殊景品の個数が表示された図４右側の禁止状態下のＰＯＳ画面では、交換可能な特殊景品の数が変動せず、図５右側のようなＰＯＳ画面となる。特殊景品の内訳は、図４右側のＰＯＳ画面の場合と同様である。
【００３９】
その後、ＰＯＳ装置５に設けられた「終了」ボタンの押下により景品交換に必要な貯玉数を引き落として景品交換処理が終了される。図４及び図５の左側の非禁止状態下のＰＯＳ画面の場合であれば、景品交換処理後の会員Ａの貯玉が図６のようになる。同図では、４円パチンコの貯玉口座の貯玉数が全てゼロとなる。図４及び図５の右側の禁止状態下のＰＯＳ画面の場合であれば、景品交換処理後の会員Ａの貯玉が図７のようになる。同図は、図３の貯玉を基にして、当日貯玉から特殊景品分の４９８０個、前日貯玉から一般景品分の２２０個、合計５２００個分が景品交換のために引き落とされている。
【００４０】
以上は、選択された貯玉口座の全部が景品交換対象として設定された例である。次に、選択された貯玉口座（４円パチンコ）の一部（５０００個）が景品交換の対象として設定された例について説明する。ＰＯＳ装置５は貯玉口座選択画面にて貯玉口座が選択された後、貯玉数の一部が選択されて交換対象とする貯玉数が指定されたとき、その選択された貯玉口座全ての貯玉を読出し、指定された貯玉数を上限として交換処理を可能とする。図８の左側は、非禁止状態下のＰＯＳ画面である。同図の右側は、禁止状態下のＰＯＳ画面である。引き落とし先の貯玉口座の違いがあっても、表示上はこれらのＰＯＳ画面は同じであり、特殊景品の内訳は以下の通りである。
【００４１】
・大景品  1500×3＝4500
・中景品  300×1＝300
・小景品  60×3＝180
計    4980
・残り    5000−4980＝20
【００４２】
さらに、対価１１０個の一般景品（タバコＡ）が２点選択された場合には、図８のＰＯＳ画面が図９のＰＯＳ画面の表示に切り換わる。図９の左側は、非禁止状態下のＰＯＳ画面であり、同図右側は、禁止状態下のＰＯＳ画面である。引き落とし先の貯玉口座の違いがあっても、禁止状態であるか非禁止状態であるかに関わらずＰＯＳ画面は同じになり、特殊景品の内訳は以下の通りである。
【００４３】
・大景品  1500×3＝4500
・中景品  300×0＝0
・小景品  60×4＝240
計    4740
・残り    5000−4740−220（一般景品分）＝40
【００４４】
その後、ＰＯＳ装置５に設けられた「終了」ボタンの押下により景品交換に必要な貯玉数を引き落として景品交換処理が終了される。図８及び図９の左側の非禁止状態下のＰＯＳ画面の場合であれば、景品交換処理後の会員Ａの貯玉が図１０のようになる。同図では、図３の貯玉を基にして、４円パチンコの貯玉口座の前日貯玉から５０００個が優先的に引き落としされている。図８及び図９の右側の禁止状態下のＰＯＳ画面の場合であれば、景品交換処理後の会員Ａの貯玉が図１１のようになる。同図は、図３の貯玉を基にして、一般景品分の２２０個が前日貯玉から引き落とされ、４７４０個の特殊景品分が当日貯玉から引き落とされている。
【００４５】
以上の通り、本例の貯玉情報記憶装置１を利用すれば、貯玉を当日分と前日以前分とで区分けして記憶可能な貯玉システムにおいて、景品交換の際に前日以前分の貯玉（前日貯玉）から優先的に引き落とすが、前日貯玉による特殊景品との交換の可否を遊技場側が選択可能になる。前日貯玉による特殊景品との交換を禁止する場合には、一般景品との交換では前日貯玉から引き落とす一方、特殊景品との交換では当日貯玉のみから引き落とすことが可能である。
【００４６】
以上のように、本発明の貯玉情報記憶装置１は、遊技場側の要望に応えつつ通達にも違反しない運用を取ることが可能な高い汎用性を備えた遊技場用景品管理装置である。
【００４７】
なお、本例では、特殊景品として、大景品、中景品、小景品が用意された遊技場の例である。特殊景品の組合せは本例に限らず、適宜変更可能である。
本例は、４円パチンコ、１円パチンコ、２０円スロット、５円スロットなど、貸出単価が異なる遊技機が導入された遊技場に関する例である。貸出単価は、パチンコ遊技機、スロットマシンについて１種類ずつであっても良いし、本例よりも種類を増やしても良い。
【００４８】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更、あるいは適宜組合せた技術を包含している。
【符号の説明】
【００４９】
１  貯玉情報記憶装置（遊技場用景品管理装置）
１Ｓ  遊技場管理システム
１１  制御部
１００  遊技機島
１０１  当日分記憶手段
１０２  前日分記憶手段
１０３  引き落とし手段
１０４  禁止手段
２  遊技機
３  計数装置
４  カードリーダ
５  ＰＯＳ装置
【図１】
2014188089.tif 000003
【図２】
2014188089.tif 000004
【図３】
2014188089.tif 000005
【図４】
2014188089.tif 000006
【図５】
2014188089.tif 000007
【図６】
2014188089.tif 000008
【図７】
2014188089.tif 000009
【図８】
2014188089.tif 000010
【図９】
2014188089.tif 000011
【図１０】
2014188089.tif 000012
【図１１】
2014188089.tif 000013